(57)【要約】【課題】組付方式が簡単で且つ破損の恐れを減少させるシャッター機構を具備するカード用コネクタ装置を提供すること。【解決手段】本考案のカード用コネクタ装置は、絶縁本体と該絶縁本体に装着される導電端子とを端子モジュールと、前記端子モジュールに取り付けられるカバー部材と、前記カバー部材に組み付けられ、支持部材とシャッター部材を有するシャッター機構と、を含む。前記支持部材は、基板と、前記カバー部材に組付けられるように該基板の側端縁よりそれぞれ延在する一対のアームと、を有し、前記一対のアームには軸孔と外向きに延在するように形成される支持部と、が、それぞれ、形成され、前記シャッター部材は前記アームに枢支され、前記軸孔に枢接される軸と、回動可能なシャッターと、を含む。【選択図】図１
0003123101.tif 000002
【実用新案登録請求の範囲】
【請求項１】
絶縁本体と、該絶縁本体に装着される導電端子と、を具備する端子モジュールと、
前記端子モジュールに取り付けられるカバー部材と、
前記カバー部材に組み付けられ、支持部材とシャッター部材とを有するシャッター機構と、を含むカード用コネクタ装置において、
前記支持部材は、
基板と、
前記カバー部材に組付けられるように該基板の側端縁よりそれぞれ延在する一対のアームと、を有し、
前記一対のアームには軸孔と外向きに延在するように形成される支持部と、が、それぞれ、形成され、
前記シャッター部材は前記アームに枢支されるとともに、前記軸孔に枢接される軸と、回動可能なシャッターと、を含むことを特徴とするカード用コネクタ装置。
【請求項２】
前記アームは、前記基板と支持部にそれぞれ垂直になされ、前記支持部は対応したアームの外側に設けられることを特徴とする、請求項１記載のカード用コネクタ装置。
【請求項３】
前記シャッター部材は、前記軸の中央には第１凸部が配置され、
前記支持部材の基板の中央には前記第１凸部を収容するための第１開口が形成されることを特徴とする、請求項１に記載のカード用コネクタ装置。
【請求項４】
前記シャッター部材の第１凸部の両側には、第２凸部がそれぞれ配置され、
前記支持部材の第１開口の両側には、前記第２凸部を収容するための第２開口がそれぞれ対応して形成されることを特徴とする、請求項３に記載のカード用コネクタ装置。
【請求項５】
前記支持部材の一対のアームには、カードの挿入を案内するように下縁より収容空間へ向きに延在する延在部部片がそれぞれ設けられることを特徴とする、請求項４に記載のカード用コネクタ装置。
【請求項６】
前記シャッター部材は、カードを挿入する際に、カードの押圧により収容空間内へ向かって回動することを特徴とする、請求項１から請求項５までのいずれか１項に記載のカード用コネクタ装置。
【請求項７】
前記カバー部材は、
前記端子モジュールに覆っている主体部と、
前記主体部の側縁より下向きに延在する側壁と、を含むことを特徴とする、請求項１に記載のカード用コネクタ装置。
【考案の詳細な説明】
【技術分野】
【０００１】
本考案はカード用コネクタ装置に関し、特にカードを回路基板に電気的に接続させるカード用コネクタ装置に関するものである。
【背景技術】
【０００２】
パーソナルコンピュータには、カード用コネクタ装置が設けられているものがあり、このカード用コネクタ装置には、記憶媒体としてのカードが装着されるようになっている。
【０００３】
このカード用コネクタ装置には、カードを挿入するための挿入口が形成され、カードが挿入されていないときに、埃等が入り込むと、パーソナルコンピュータに電子部材が汚れるなどして、パーソナルコンピュータの正常な使用に影響を与えるおそれがある。そのため、従来のカード用コネクタ装置には、挿入口を閉塞するためのシャッター部材が設けられていて、カードが挿入されていないときに、挿入口に嵌め込まれることによって、埃等の侵入を防いでいる。
【０００４】
従来技術文献に開示されるようなカード用コネクタ装置では、埃等の侵入を防ぐようにするために、該カード用コネクタ装置の挿入口に開閉可能なシャッター部材が取り付けられている。従来技術文献の図５に示すこのシャッター部材は、上部フレームと、下部フレームと、両側から外方へそれぞれ延設される弾性取付部部片と、を含み、且つ該弾性取付部片の先端側に取付部が設けられる。該取付部がカード用コネクタ装置にねじ止めなどの方法で取り付けられることによって、シャッター部材がカード用コネクタ装置に取り付けられる（例えば、特許文献１参照）。
【特許文献１】米国特許第６３６８１２３号明細書
【考案の開示】
【考案が解決しようとする課題】
【０００５】
しかしながら、従来技術文献に開示されたカード用コネクタ装置では、シャッター部材の弾性取付部部片が一枚の薄い金属板で折り曲げ形成されているので、カードの挿入によって回動した時に変形したり破損したりしてしまう問題があり、さらに該シッター部材がカード用コネクタ装置から外れるおそれがあった。また、該シャッター部材がねじ止め等の方法によりカード用コネクタ装置に取り付けられるので、カード用コネクタ装置にシャッター部材の取付部に対応した構造が配置されることは必要であり、こうして、カード用コネクタ装置の構造と組付が複雑になっている。そこで、従来の技術の不足を改善したカード用コネクタ装置を開発する必要がある。
【０００６】
本考案は、組付方式が簡単で且つ破損の恐れを減少させるシャッター機構を具備するカード用コネクタ装置を提供することを目的とする。
【課題を解決するための手段】
【０００７】
本考案のカード用コネクタ装置は、絶縁本体と、該絶縁本体に装着される導電端子と、を具備する端子モジュールと、前記端子モジュールに取り付けられるカバー部材と、前記カバー部材に組み付けられ、支持部材とシャッター部材を有するシャッター機構と、を含む。前記支持部材は、基板と、前記カバー部材に組付けられるように該基板の側端縁よりそれぞれ延在する一対のアームと、を有し、前記一対のアームには軸孔と外向きに延在するように形成される支持部と、が、それぞれ、形成され、前記シャッター部材は、前記アームに枢支され、前記軸孔に枢接する軸と、回動可能なシャッターと、を含む。
【考案の効果】
【０００８】
従来技術に比べ、本考案は以下の利点を有する。本考案のカード用コネクタ装置は、シャッター機構は支持部材が一体な枠状を呈することで、整体構造の強さが増大されることで、カードの挿入によって回動した時に変形したり破損したりするおそれを減少させる。また、該シャッター機構が直ちにカバー部材に組み付けられることで、カード用コネクタ装置の構造と組付が簡単になる。そして、該シャッター機構を配置するかどうかは、使用者の要求によって決定することができ、カード用コネクタ装置の応用が広くなっている。
【考案を実施するための最良の形態】
【０００９】
以下、図1〜図７を参照すると、本考案のカード用コネクタ装置の好ましい実施形態について、添付図面を参照して説明する。該カード用コネクタ装置は、端子モジュール１と、該端子モジュール１に組み付けられるカバー部材２と、カードを排出するようにカバー部材２の一側に支持される排出機構３と、カバー部材２に取り付けられる支持部材４とシャッター部材５を有するシャッター機構と、を含む。
【００１０】
図２と図３を参照して、端子モジュール１は、基部１０と、該基部１０より延在している延出アーム１１、１２と、を有する絶縁本体（参照記号なし）と、絶縁本体に装着される複数の導電端子８と、を含む。基部１０から後向きに延在するように形成される対応接触部１３には複数の端子溝１３０が設けられ、基部の両側からそれぞれ延在するように形成される一対の延出アーム１１、１２は、その外側に固持部片７がそれぞれ配置される。該端子モジュール１に取り付けられるガイド部材６は、三角形状を呈する平板部６１と、該平板部６１の側縁から上向きに延在するようにＬ字形状を呈する垂直壁６０と、を含み、該ガイド部材６によりカードの挿入を案内できる。
【００１１】
前記端子モジュール１に組み付けられるカバー部材２は、端子モジュール１を覆う主体部２０と、該主体部２０の先端側縁からそれぞれ延在するように形成される取付壁２３、２４と、主体部２０の後端側縁からそれぞれ延設して前記取付壁２３、２４に平行な側壁２１、２２と、を含む。前記主体部２０の側縁に近寄る箇所に弾性部部片２０１が配置され、取付壁２３、２４と主体部２０との連接する箇所に取付溝２０３がそれぞれ形成され、取付壁２３、２４に端子モジュール１に係止する係合部部片（参照記号なし）がそれぞれ形成される。前記側壁２１、２２には、支持部材４を組み付けるように取付部片２１１、２１２、２２１、２２２がそれぞれ形成され、且つ側壁２１、２２から収容空間内に向かって水平部２１０、２２０がそれぞれ延在して形成する。前記弾性部片２０１と各水平部２１０、２２０により、Ｌ字形状を呈するカードＢ（図７に示す）を収容空間内に挿入することを案内し、また、主体部２０の挿入口（参照記号なし）に近接する箇所に押圧部片２０２が配置されることにより、矩形形状を呈するカードＡ（図６に示す）を収容空間内への挿入が案内できる。
【００１２】
図３乃至図７を参照して、前記シャッター機構は、支持部材４とシャッター部材５とを含み、支持部材４は枠状をなし、基板４２と、該基板４２の側端縁より前向きにそれぞれ屈折して延在するように形成される第１アーム４０及び第２アーム４１と、が一体に設けられる。基板４２の後端には、略中央に第１開口４２０が形成され、該第１開口４２０の両側に第２開口４２１がそれぞれ対称に形成される。該第１アーム４０と第２アーム４１は、挿入口に近接する箇所に軸孔４０１、４１１がそれぞれ形成され、回路基板（図示せず）に接続するように中間の下縁より支持部４０２、４１２がそれぞれ外向きに延在するように形成され、即ち該第１アーム４０と第２アーム４１は前記基板４２と支持部４０２、４１２にそれぞれ垂直になされている。前記第１アーム４０の上縁より排出機構３に係合するように組付部片４０３が形成される。
【００１３】
前記第１アーム４０と第２アーム４１は、カードの挿入を案内するように下縁より収容空間内に向かって延在部部片４０６、４１５が形成される。前記第１アーム４０と第２アーム４１には、カバー部材２の側壁２１、２２に設けられる取付部片２１１、２１２、２２１、２２２に係合するように錠止溝４０４、４０５、４１３、４１４がそれぞれ形成される。また、第１アーム４０の支持部４０２は第２アームの支持部４１２より長さが短い。該支持部材４は、カバー部材２の取付部片２１１、２１２、２２１、２２２が錠止溝４０４、４０５、４１３、４１４に係合することにより、カバー部材２に組み付けられる。
【００１４】
シャッター部材５は、支持部材４に枢支され、回動可能なシャッター５０と、前記支持部材４の軸孔４０１、４１１に枢接する軸５１と、を含む。軸５１には支持部材４の第１開口４２０と第２開口４２１にそれぞれ収容される第１凸部５２と第２凸部５３がそれぞれ形成される。軸５１が軸孔４０１、４１１に枢接することによって、該シャッター部材５が支持部材４に組み付けられる。第１凸部５２と第２凸部５３が第１開口４２０と第２開口４２１に収容されることによって、該シャッター部材５が回動する過程で確実に位置決めされる。
【００１５】
排出機構３がカバー部材２に組み付けられ、心臓形状を呈するレール（図示せず）を有するベース部材３０と、弾性バネ３１と、回復運動可能な連動柄３２と、排出レバー３３と、スライド部材３４と、を含む。弾性バネ３１の一端がスライド部材３４に係合し、他端が支持部材４の組付部片４０３に係合する。排出レバー３３が前記カバー部材２の取付溝２０３を貫通し、カバー部材２と端子モジュール１との間に配置される。該排出機構３は、その構造と排出原理が当該業界の従来周知技術と同様であるので、ここでは詳細説明しない。
【００１６】
図６と図７を参照すると、組み付けた際に、該カード用コネクタ装置は、前記固持部片７と支持部材４の支持部４０２、４１２が回路基板に接続されることによって、回路基板に実装される。前記シャッター機構がカバー部材２に組付けられる。カードＡ、Ｂが挿入する時に、シャッター部材５がカードＡ、Ｂの押圧により収容空間内に向かって回動してから、カードを収容空間に挿入させる。カードＡ、Ｂを排出する時に、シャッター部材５は、自身の重力により収容空間の挿入口を閉塞する状態に自動復帰できる。
【００１７】
該カード用コネクタ装置は、シャッター機構の支持部材４が一体な枠状を呈すことで、整体構造の強さが増大されることで、カードの挿入によって回動した時に変形したり破損したりするおそれを減少させる。また、該シャッター機構が直ちにカバー部材２に組み付けられることで、カード用コネクタ装置の構造と組付が簡単になる。そして、該シャッター機構が配置されるかどうかは、使用者の要求によって決定することができ、カード用コネクタ装置の応用が広くなっている。
【００１８】
以上本考案について好ましい実施の形態を参照して詳細に説明したが、実施形態はあくまでも例示的なものであり、これらに限定されるものではない。また、本考案に基づきなし得る細部の修正或は変更など、いずれも本考案の請求範囲に属するものである。
【図面の簡単な説明】
【００１９】
【図１】本考案に係るカード用コネクタ装置の組立斜視図である。
【図２】本考案に係るカード用コネクタ装置の分解斜視図である。
【図３】本考案に係るカード用コネクタ装置のシャッター機構の分解斜視図である。
【図４】図１に示すカード用コネクタ装置の排出機構が外れる組立斜視図である。
【図５】図４に示すカード用コネクタ装置の部分の拡大図である。
【図６】本考案に係るカード用コネクタ装置のカードＡが挿入した組立斜視図である。
【図７】本考案に係るカード用コネクタ装置のカードＢが挿入した組立斜視図である。
【符号の説明】
【００２０】
Ａ、Ｂ  カード
１  端子モジュール
２  カバー部材
３  排出機構
４  支持部材
５  シャッター機構
６  ガイド部材
７  固持部片
８  導電端子
１０  基部
１１、１２  延出アーム
１３  対応接触部
１４  ガイド溝
２０  主体部
２１、２２  側壁
２３、２４  取付壁
３０  ベース部材
３１  弾性バネ
３２  連動柄
３３  排出レバー
３４  スライド部材
４０  第１アーム
４１  第２アーム
４２  基板
５０  シャッター部材
５１  軸
５２  第１凸部
５３  第２凸部
６１  平板部
６２  垂直壁
１３０  端子溝
２０１  弾性部片
２０２  押圧部片
２０３  取付溝
２１０、２２０  水平部
２１１、２１２、２２１、２２２  取付部片
４０１、４１１  軸孔
４０２、４１２  支持部
４０３  組付部片
４０４、４０５、４１３、４１４  錠止溝
４０６、４１５  延在部片
４２０  第１開口
４２１  第２開口
【図１】
0003123101.tif 000003
【図２】
0003123101.tif 000004
【図３】
0003123101.tif 000005
【図４】
0003123101.tif 000006
【図５】
0003123101.tif 000007
【図６】
0003123101.tif 000008
【図７】
0003123101.tif 000009